(57)【特許請求の範囲】
【請求項１】
人の存在を検出する人検出装置が接続されるセンサインタフェースと、
ユーザー端末と無線信号により通信を行う無線通信インタフェースと、
公衆ネットワークと通信を行う公衆ネットワークインタフェースと、
前記ユーザー端末を予め登録する帰属管理テーブルが格納される記憶部と、
前記無線通信インタフェースと前記公衆ネットワークインタフェースとの間の通信を制御すると共に、前記人検出装置により人の侵入が検出された場合に異常を通知するセキュリティメッセージを前記帰属管理テーブルに登録された帰属済みユーザー端末に前記無線通信インタフェースを介して送信する通信制御部と、を有し、
前記通信制御部は、
前記人検出装置により人の侵入が検出された場合に前記無線通信インタフェースを介して前記帰属済みユーザー端末を検索し、前記帰属済みユーザー端末が未検出である場合は前記セキュリティメッセージの送信を待機する通信制御装置。
【請求項２】
前記通信制御部は、前記人検出装置により人の侵入が検出された場合に前記セキュリティメッセージを前記公衆ネットワークインタフェースを介して前記帰属済みユーザー端末に通知する請求項１記載の通信制御装置。
【請求項３】
前記帰属管理テーブルには、前記帰属済みユーザー端末のＭＡＣアドレス、前記公衆ネットワークを介した通信を行う場合の前記帰属済みユーザー端末のあて先、及び、通知の要否に関する情報が格納される請求項１又は２に記載の通信制御装置。
【請求項４】
人の存在を検出する人検出装置が接続されるセンサインタフェースと、
ユーザー端末と無線信号により通信を行う無線通信インタフェースと、
公衆ネットワークと通信を行う公衆ネットワークインタフェースと、
前記無線通信インタフェースと前記公衆ネットワークインタフェースとの間の通信を制御する通信制御部と、を有する通信制御装置における異常通知方法であって、
前記人検出装置によって異常を検出した場合に通知する前記ユーザー端末を帰属済みユーザー端末として前記通信制御装置内の記憶部に格納される帰属管理テーブルに登録し、
前記人検出装置により人の侵入が検出された場合に前記無線通信インタフェースを介して前記帰属済みユーザー端末を検索し、
前記帰属済みユーザー端末が未検出である場合は前記人検出装置により人の侵入が検出された場合に異常を通知するセキュリティメッセージの送信を待機する異常通知方法。
【請求項５】
人の存在を検出する人検出装置が接続されるセンサインタフェースと、
ユーザー端末と無線信号により通信を行う無線通信インタフェースと、
公衆ネットワークと通信を行う公衆ネットワークインタフェースと、
前記無線通信インタフェースと前記公衆ネットワークインタフェースとの間の通信を制御する通信制御部と、を有する通信制御装置において前記通信制御部で実行される異常通知プログラムであって、
前記人検出装置によって異常を検出した場合に通知する前記ユーザー端末を帰属済みユーザー端末として前記通信制御装置内の記憶部に格納される帰属管理テーブルに登録し、
前記人検出装置により人の侵入が検出された場合に前記無線通信インタフェースを介して前記帰属済みユーザー端末を検索し、
前記帰属済みユーザー端末が未検出である場合は前記人検出装置により人の侵入が検出された場合に異常を通知するセキュリティメッセージの送信を待機する異常通知プログラム。
【発明の詳細な説明】
【技術分野】
【０００１】
本発明は通信制御装置、異常通知方法及び異常通知プログラムに関し、例えば、人検出装置により不審者の侵入をユーザー端末に通知する通信制御装置、異常通知方法及び異常通知プログラムに関する。
【背景技術】
【０００２】
有線ＬＡＮ（Local Area Network）、無線ＬＡＮ等の通信機能と、ルータ機能等の通信制御機能と、を有する通信制御装置（以下、ホームゲートウェイ装置と称す）の利用が拡大している。近年は、このホームゲートウェイ装置にセンサ等の人検出装置を取り付けて、ホームゲートウェイ装置の基本的な機能と人検出装置による不審者検出機能とを連携させて簡易的なセキュリティシステムを構築することが可能な装置が提案されている。このようなホームゲートウェイ装置の一例が特許文献１に開示されている。
【０００３】
特許文献１では、無線通信装置が、情報処理装置を有し、当該情報処理装置が不審者侵入判定部と、応答判定部と、を有する。そして、不審者侵入判定部は、人検出装置において人が検出されない状態から人が検出される状態に変化した場合に、応答判定部において無線通信装置が送信した応答確認信号に対する、ユーザーの携帯電話機からの応答有りと判定されると、セキュリティ対象エリア内にユーザーが入ってきたと判定する。また、不審者侵入判定部は、人検出装置において人が検出されない状態から人が検出される状態に変化した場合に、応答判定部においてユーザーの携帯電話機からの応答無しと判定されると、セキュリティ対象エリア内に不審者が侵入したと判定する。
【先行技術文献】
【特許文献】
【０００４】
【特許文献１】特開２０１０−１５２６７７号公報
【発明の概要】
【発明が解決しようとする課題】
【０００５】
特許文献１では、公衆ネットワークを介してユーザーが所持する携帯電話に不審者の侵入を通知する。しかしながら、公衆ネットワークでは、ユーザーが所持する携帯電話へのメッセージの到達に遅延或いは不達が生じる問題がある。メッセージの遅延或いは不達が生じた場合、セキュリティ対象エリア外（或いは宅外）からユーザーが戻った際にメッセージがユーザーに到達しておらず、ユーザーが帰宅時に不審者の侵入を知ることができない等の問題が生じる。
【課題を解決するための手段】
【０００６】
本発明にかかる通信制御装置の一態様は、人の存在を検出する人検出装置が接続されるセンサインタフェースと、ユーザー端末と無線信号により通信を行う無線通信インタフェースと、公衆ネットワークと通信を行う公衆ネットワークインタフェースと、前記ユーザー端末を予め登録する帰属管理テーブルが格納される記憶部と、前記無線通信インタフェースと前記公衆ネットワークインタフェースとの間の通信を制御すると共に、前記人検出装置により人の浸入が検出された場合に異常を通知するセキュリティメッセージを前記帰属管理テーブルに登録された帰属済みユーザー端末に前記無線通信インタフェースを介して送信する通信制御部と、を有し、前記通信制御部は、前記人検出装置により人の浸入が検出された場合に前記無線通信インタフェースを介して前記帰属済みユーザー端末を検索し、前記帰属済みユーザー端末が未検出である場合は前記セキュリティメッセージの送信を待機し、前記帰属済みユーザー端末が検出されたことに応じて前記セキュリティメッセージを前記帰属済みユーザー端末に送信する。
【０００７】
本発明にかかる異常通知方法の一態様は、人の存在を検出する人検出装置が接続されるセンサインタフェースと、ユーザー端末と無線信号により通信を行う無線通信インタフェースと、公衆ネットワークと通信を行う公衆ネットワークインタフェースと、前記無線通信インタフェースと前記公衆ネットワークインタフェースとの間の通信を制御する通信制御部と、を有する通信制御装置における異常通知方法であって、前記人検出装置によって異常を検出した場合に通知する前記ユーザー端末を帰属済みユーザー端末として前記通信制御装置内の記憶部に格納される帰属管理テーブルに登録し、前記人検出装置により人の浸入が検出された場合に前記無線通信インタフェースを介して前記帰属済みユーザー端末を検索し、前記帰属済みユーザー端末が未検出である場合は前記人検出装置により人の浸入が検出された場合に異常を通知するセキュリティメッセージの送信を待機し、前記帰属済みユーザー端末が検出されたことに応じて前記セキュリティメッセージを前記帰属済みユーザー端末に送信する。
【０００８】
本発明にかかる異常通知プログラムの一態様は、人の存在を検出する人検出装置が接続されるセンサインタフェースと、ユーザー端末と無線信号により通信を行う無線通信インタフェースと、公衆ネットワークと通信を行う公衆ネットワークインタフェースと、前記無線通信インタフェースと前記公衆ネットワークインタフェースとの間の通信を制御する通信制御部と、を有する通信制御装置において前記通信制御部で実行される異常通知プログラムであって、前記人検出装置によって異常を検出した場合に通知する前記ユーザー端末を帰属済みユーザー端末として前記通信制御装置内の記憶部に格納される帰属管理テーブルに登録し、前記人検出装置により人の浸入が検出された場合に前記無線通信インタフェースを介して前記帰属済みユーザー端末を検索し、前記帰属済みユーザー端末が未検出である場合は前記人検出装置により人の浸入が検出された場合に異常を通知するセキュリティメッセージの送信を待機し、前記帰属済みユーザー端末が検出されたことに応じて前記セキュリティメッセージを前記帰属済みユーザー端末に送信する。
【発明の効果】
【０００９】
本発明にかかる通信制御装置、異常通知方法及び異常通知プログラムによれば、公衆ネットワークの状態によらずにユーザー端末に監視エリア内で生じた異常を通知することができる。
【図面の簡単な説明】
【００１０】
【図１】実施の形態１にかかる通信制御装置を含む通信システムのブロック図である。
【図２】実施の形態１にかかる通信制御装置における帰属管理テーブルの作成フローを説明するフローチャートである。
【図３】実施の形態１にかかる通信制御装置における異常通知動作を説明するフローチャートである。
【図４】実施の形態１にかかるユーザー端末の動作を説明するフローチャートである。
【発明を実施するための形態】
【００１１】
実施の形態１
以下、図面を参照して本発明の実施の形態について説明する。説明の明確化のため、以下の記載及び図面は、適宜、省略、及び簡略化がなされている。各図面において、同一の要素には同一の符号が付されており、必要に応じて重複説明は省略されている。
【００１２】
まず、実施の形態１にかかる通信システム１のブロック図を示す。図１に示す例では、実施の形態１にかかる通信制御装置（以下、ホームゲートウェイ装置１０と称す）に加えて、ホームゲートウェイ装置１０に接続されるユーザー端末２０、人感カメラ３０、センサ装置３１も示した。人感カメラ３０、センサ装置３１は、人の存在を検出する人検出装置である。センサ装置３１は、例えば、人感センサ、ドア開閉センサ、赤外線センサ、家電機器に組み込まれた人感センサ等人の侵入を検出可能なセンサである。
【００１３】
また、ホームゲートウェイ装置１０は、ユーザー端末２０と無線信号を用いて通信する無線ＬＡＮ（Local Area Network）機能と、有線ＬＡＮを介して通信を行う有線ＬＡＮ機能、公衆ネットワークと通信を行う公衆ネットワーク（ＷＡＮ：Wide Area Network）機能と、を有する。また、人感カメラ３０は、ホームゲートウェイ装置１０のＵＳＢ（Universal Sirial Bus）インタフェースに接続される。また、センサ装置３１は、ホームゲートウェイ装置１０の有線ＬＡＮインタフェースに接続されるものとする。なお、図１に示した人検出装置の接続形態は、一例であり、ホームゲートウェイ装置１０に対してどのように人検出装置に接続されるかは、人検出装置により適宜変更出来る。
【００１４】
ホームゲートウェイ装置１０は、通信制御部１１、記憶部１２、公衆ネットワークインタフェース（例えば、ＷＡＮ側制御部１３）、有線ＬＡＮインタフェース（例えば、ＬＡＮ側制御部１４）、無線ＬＡＮインタフェース（例えば、無線ＬＡＮ制御部１５）、ＵＳＢインタフェース（例えば、ＵＳＢ制御部１６）、を有する。
【００１５】
通信制御部１１は、例えば、ＣＰＵ（Central Processing Unit）のようなプログラムを実行可能な演算部により実現可能である。また、通信制御部１１は、ホームゲートウェイ装置１０に求められる機能をハードウェアによって構成しても構わない。以下の説明では、通信制御部１１で実現される機能のうち異常通知機能のみを説明する。この異常通知機能は、通信制御部１１で実行される異常通知プログラムにより実現されるものとする。
【００１６】
ここで、上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００１７】
通信制御部１１は、無線ＬＡＮ制御部１５、ＷＡＮ側制御部１３、ＬＡＮ側制御部１４、及び、ＵＳＢ制御部１６の間の通信を制御する。また、通信制御部１１は、人検出装置により人の浸入が検出された場合に異常を通知するセキュリティメッセージを記憶部１２に格納された帰属管理テーブルに登録された帰属済みユーザー端末（例えば、ユーザー端末２０）に無線ＬＡＮ制御部１５を介して送信する。また、通信制御部１１は、人検出装置により人の浸入が検出された場合にセキュリティメッセージをＷＡＮ側制御部１３を介してユーザー端末２０に通知する。
【００１８】
ここで、ユーザー端末２０は、セキュリティメッセージを受信すると端末に備えられたスピーカーから発する音、バイブレーション機能、画面上へのメッセージの表示など、端末に備えられたユーザーへの通知機能を利用してセキュリティメッセージの受信をユーザーに通知する。また、ユーザー端末２０におけるセキュリティメッセージ通知機能は、ユーザー端末２０上で動作するソフトウェア、或いは、ハードウェアにより実現される。
【００１９】
記憶部１２は、通信制御部１１で実行される異常通知プログラム及び帰属管理テーブルを格納する。異常通知プログラムは、ホームゲートウェイ装置１０の起動時に通信制御部１１により読み出される。通信制御部１１は、異常通知プログラムを実行することで、ホームゲートウェイ装置１０における異常通知機能を実現する。帰属管理テーブルは、ホームゲートウェイ装置１０に接続可能と判断されたユーザー端末を登録するものである。この帰属管理テーブルには、接続可能と判断された帰属済みユーザー端末のＭＡＣアドレスと、帰属済みユーザー端末が公衆ネットワークに接続されている場合に公衆ネットワークを介して帰属済みユーザー端末に通知を届けるためのあて先、及び、通知の要否に関する情報が含まれる。通信制御部１１は、通知が必要と記憶されている帰属済みユーザー端末にのみセキュリティメッセージを通知するものとする。
【００２０】
ＷＡＮ側制御部１３は、公衆ネットワークと通信を行うためのインタフェースである。ＬＡＮ側制御部１４は、通信ケーブルを介して接続される端末、或いは、装置と通信を行う有線ＬＡＮインタフェースである。無線ＬＡＮ制御部１５は、ユーザー端末２０と無線信号により通信を行う無線ＬＡＮインタフェースである。ＵＳＢ制御部１６は、ＵＳＢ規格に従って、接続される装置と通信を行うＵＳＢインタフェースである。なお、ホームゲートウェイ装置１０ではＬＡＮ側制御部１４及びＵＳＢ制御部１６を人検出装置が接続されるセンサインタフェースとして利用する。
【００２１】
続いて、実施の形態１にかかるホームゲートウェイ装置１０の動作について説明する。まず、ホームゲートウェイ装置１０における帰属管理テーブルの作成手順について説明する。そこで、図２にホームゲートウェイ装置１０における帰属管理テーブルの作成フローを説明するフローチャートを示す。
【００２２】
図２に示すように、ホームゲートウェイ装置１０は、ユーザー端末２０の帰属確認を行う（ステップＳ１）。この帰属確認は、例えば、ＩＥＥＥ８０２．１１ａ等の無線ＬＡＮ規格に従ったユーザー認証によりユーザー端末２０が接続許可が可能でであるか否かに基づき行う。次いで、ホームゲートウェイ装置１０は、帰属済みのユーザー端末を帰属済みユーザー端末として帰属管理テーブルに登録する。ここで、ホームゲートウェイ装置１０は、帰属管理テーブルに登録する帰属済みユーザー端末を特定する情報として帰属済みユーザー端末のＭＡＣアドレスと、帰属済みユーザー端末が公衆ネットワークと接続されている場合にメッセージ送信が可能な帰属済みユーザー端末のあて先、及び、通知の要否に関する情報を記憶する。また、帰属済みユーザー端末が公衆ネットワークと接続されている場合にメッセージ送信が可能な帰属済みユーザー端末のあて先、及び、通知の要否に関する情報は、例えばホームゲートウェイ装置１０がユーザー端末に提供するＷＥＢインタフェースを介してユーザーが入力するものとする。
【００２３】
続いて、実施の形態１にかかるホームゲートウェイ装置１０における異常通知動作を説明する。そこで、図３に実施の形態１にかかるホームゲートウェイ装置１０における異常通知動作を説明するフローチャートを示す。なお、図３では、ホームゲートウェイ装置１０の機能のうち異常を通知する簡易セキュリティ機能に関する動作のみを示したが、ホームゲートウェイ装置１０は、ユーザー端末２０が公衆ネットワーク或いはＬＡＮを介して行うデータ通信機能も有する。
【００２４】
図３に示すように、ホームゲートウェイ装置１０は動作を開始すると人検出装置による監視エリアの監視を開始する（ステップＳ１１）。そして、ホームゲートウェイ装置１０は、人検出装置により異常が検出されなければ当該監視を継続する（ステップＳ１２のＮＯの枝）。また、ホームゲートウェイ装置１０は、人検出装置により異常が検出された場合（ステップＳ１２のＹＥＳの枝）、公衆ネットワークを介して帰属済みユーザー端末２０に監視エリアの異常を通知するセキュリティメッセージを送信する（ステップＳ１３）。このセキュリティメッセージは、予め設定された定型メッセージ、異常検出時に撮影した画像等、異常を検出したことがユーザーに伝わるものであればよい。
【００２５】
続いて、ホームゲートウェイ装置１０は、無線ＬＡＮ制御部１５を用いて帰属済みユーザー端末２０が通信可能範囲にあるか否かを検索する（ステップＳ１４）。そして、ホームゲートウェイ装置１０は、帰属済みユーザー端末２０が通信可能範囲にいなければ、ユーザー端末２０の探索を継続し、かつ、セキュリティメッセージの送信を待機する（ステップＳ１４のＮＯの枝）。なお、帰属済みユーザー端末２０の探索は、一定時間周期で行うことが好ましい。一方、ホームゲートウェイ装置１０は、ユーザー端末２０が通信可能範囲に存在する、或いは、ユーザー端末２０が通信可能範囲で検出されたことに応じて（ステップＳ１４のＹＥＳの枝）、帰属済みユーザー端末２０にセキュリティメッセージを送信する（ステップＳ１５）。ステップＳ１５以降は、ステップＳ１１からステップＳ１５間での処理を繰り返し実行する。なお、セキュリティメッセージの送信を待機している期間に、ホームゲートウェイ装置１０が人検出装置による異常監視を継続しても良い。
【００２６】
続いて、実施の形態１の通信システム１におけるユーザー端末２０の動作について説明する。そこで、図４に実施の形態１にかかるユーザー端末の動作を説明するフローチャートを示す。なお、ユーザー端末２０は、例えば、スマートフォン、パーソナルコンピュータ、タブレット端末等のモバイル端末の一般的な動作に加えて、以下のセキュリティメッセージ受信動作を行うものとする。
【００２７】
図４に示すように、ユーザー端末２０は、ホームゲートウェイ装置１０からセキュリティメッセージを受信する（ステップＳ２１）と、ユーザー端末２０の機能を用いてユーザーにセキュリティメッセージを受信したことを通知する（ステップＳ２２）。ステップＳ２２の通知は、ユーザー端末２０のバイブレーション機能、メッセージの画面表示、警告音の出力等を用いた通知方法が考えられる。
【００２８】
上記説明より、実施の形態１にかかるホームゲートウェイ装置１０では、監視エリアで異常が検出された場合、公衆ネットワークを介した帰属済みユーザー端末２０への異常通知に加えて、自身が発する無線信号による帰属済みユーザー端末２０への異常通知を行う。このとき、ホームゲートウェイ装置１０は、異常発生時に、自身が発する無線信号により通信可能な範囲に帰属済みユーザー端末２０が存在しない場合には、セキュリティメッセージの送信を待機し、帰属済みユーザー端末２０が通信可能範囲に入った場合に当該セキュリティメッセージを送信する。
【００２９】
これにより、実施の形態１にかかる通信システム１は、帰属済みユーザー端末２０への公衆ネットワークを介したセキュリティメッセージの到達に遅延或いは不達が生じた場合であって、ユーザーが監視エリアに入る前にユーザーに異常の発生を通知することができる。また、実施の形態１にかかる通信システム１は、公衆ネットワークを介したセキュリティメッセージの通知も行うため、遠隔地にいる場合も監視エリアで発生した異常を知ることができる。
【００３０】
また、実施の形態１にかかる通信システム１では、セキュリティメッセージの送信を通知が必要であると登録された帰属済みユーザー端末２０のみに送信する。これにより、実施の形態１にかかる通信システム１では、不必要な端末へのセキュリティメッセージの送信を防いで、プライバシを守ることが可能になる。
【００３１】
なお、本発明は上記実施の形態に限られたものではなく、趣旨を逸脱しない範囲で適宜変更することが可能である。
【符号の説明】
【００３２】
１  通信システム
１０  ホームゲートウェイ装置
１１  通信制御部
１２  記憶部
１３  ＷＡＮ側制御部
１４  ＬＡＮ側制御部
１５  無線ＬＡＮ制御部
１６  ＵＳＢ制御部
２０  ユーザー端末
３０  人感カメラ
３１  センサ装置
【図１】
0006300325.tif 000002
【図２】
0006300325.tif 000003
【図３】
0006300325.tif 000004
【図４】
0006300325.tif 000005